(57)【要約】  本発明のインターホンシステムは、各居室に設置される居室機と通信可能に構成されており、訪問者が居住者を呼び出すために、居住者の居室機を特定する居室特定情報を一文字ずつ入力可能であるとともに、特定された居室機を呼び出すことが可能な入力部（１１）と、各居室機の少なくとも一部に割り当てられる名称を表示する名称表示部（１３）と、名称表示部（１３）と関連付けて設けられるとともに、名称が割り当てられた居室機を呼び出すことが可能な専用呼出部（１４）とを備える。
2017056165.tif 000002
【特許請求の範囲】
【請求項１】
各居室に設置される居室機と通信可能に構成された集合玄関機であって、
訪問者が居住者を呼び出すために、当該居住者の居室機を特定する居室特定情報を一文字ずつ入力可能であるとともに、特定された前記居室機を呼び出すことが可能な入力部と、
前記各居室機の少なくとも一部に割り当てられる名称を表示する名称表示部と、
前記名称表示部と関連付けて設けられるとともに、前記名称が割り当てられた前記居室機を呼び出すことが可能な専用呼出部と、
を備える、
集合玄関機。
【請求項２】
さらに、前記入力部に入力された内容を表示する表示部を備える、
請求項１に記載の集合玄関機。
【請求項３】
前記名称表示部と前記専用呼出部とが一体的に形成されている、
請求項１または請求項２に記載の集合玄関機。
【請求項４】
請求項１から請求項３のいずれか一項に記載の集合玄関機を備えるインターホンシステム。
【請求項５】
居室に設置される居室機を備え、
前記居室機は、前記入力部への操作により呼び出された場合と、前記専用呼出部への操作により呼び出された場合とで、報知音が異なる、
請求項４に記載のインターホンシステム。
【請求項６】
時刻情報を生成するリアルタイムクロックと、
前記時刻情報に基づいて、前記名称表示部と前記専用呼出部の少なくとも一方の表示態様を変更する制御部と、
を備える、
請求項４または請求項５に記載のインターホンシステム。
【請求項７】
各居室に設置される居室機と通信可能に構成された集合玄関機であって、
訪問者が居住者を呼び出すために、当該居住者の居室機を特定する居室特定情報を一文字ずつ入力可能であるとともに、特定された前記居室機を呼び出すことが可能な入力部と、
前記各居室機に割り当てられる居住者名と、前記各居室機の少なくとも一部に割り当てられる名称と、を含む呼出テーブルが記録された記録部と、
前記入力部により入力された前記居室特定情報と前記呼出テーブルとに基づいて呼び出す対象の居室機を特定し、特定された前記居室機を呼び出すための呼出制御を行う制御部と、
を備える、
集合玄関機。
【請求項８】
前記入力部に入力された内容を表示する表示部と、
時刻情報を生成するリアルタイムクロックと、
を備え、
前記呼出テーブルにおいて、前記名称が割り当てられた前記居室機の各々には、所定の営業時間を設定可能であり、
営業時間内に前記表示部に表示される前記名称の表示態様と、営業時間外に前記表示部に表示される前記名称の表示態様とが異なっている、
請求項７に記載の集合玄関機。
【請求項９】
営業時間外である前記居室機が呼び出された場合、営業時間外である旨を知らせるメッセージを報知する、
請求項８に記載の集合玄関機。
【請求項１０】
請求項７から請求項９のいずれか一項に記載の集合玄関機を備えるインターホンシステム。 
【発明の詳細な説明】
【技術分野】
【０００１】
本発明は、集合玄関機および当該集合玄関機を備えるインターホンシステムに関するものである。
【背景技術】
【０００２】
マンション等の集合住宅の集合玄関には、セキュリティ向上の観点から、集合玄関機とオートドアが設置されていることが多い。訪問者は、集合玄関機のテンキーを操作して、訪問先の部屋番号を入力することにより、訪問先の居住者（居室機）を呼び出して、居住者にオートドアを解錠してもらうことにより、集合住宅の中に入ることが可能である（特許文献１参照）。
【先行技術文献】
【特許文献】
【０００３】
【特許文献１】日本国特開２０１１−２０５５７０号公報
【発明の概要】
【発明が解決しようとする課題】
【０００４】
ところで、近年、マンション等の集合住宅の中に、スーパー、コンビニエンスストアだけでなく、個人経営の店舗や事務所等が入居することがある。しかし、このような個人経営の店舗や事務所等を初めて訪問する訪問者は、訪問先の店舗名や事務所名を知っていても、訪問先の部屋番号を知らないことがあり、訪問先を呼び出す際に手間取ってしまう場合があった。【０００５】
そこで、本発明は、訪問者が訪問先を呼び出す際の利便性を向上させることが可能な集合玄関機および当該集合玄関機を備えるインターホンシステムを提供することを目的とする。
【課題を解決するための手段】
【０００６】
上記目的を達成するために、本発明の集合玄関機は、
各居室に設置される居室機と通信可能に構成された集合玄関機であって、
訪問者が居住者を呼び出すために、当該居住者の居室機を特定する居室特定情報を一文字ずつ入力可能であるとともに、特定された前記居室機を呼び出すことが可能な入力部と、
前記各居室機の少なくとも一部に割り当てられる名称を表示する名称表示部と、
前記名称表示部と関連付けて設けられるとともに、前記名称が割り当てられた前記居室機を呼び出すことが可能な専用呼出部と、
を備える。【０００７】
この構成によれば、訪問先の居室特定情報（部屋番号や居住者名等）を知らない場合であっても、訪問者は、集合玄関機に設置された名称表示部の名称を確認し、その名称表示部と関連付けて設けられた専用呼出部を操作することにより、訪問先を呼び出すことができる。また、訪問先の居室特定情報（部屋番号や居住者名等）を知っている訪問者は、入力部を操作してその居室特定情報を入力することにより、訪問先の居室機を呼び出すことができる。このように、この構成によれば、二種類の呼び出し機能を設けることにより、訪問者が訪問先を呼び出す際の利便性を向上させることができる。【０００８】
また、本発明の集合玄関機は、
さらに、前記入力部に入力された内容を表示する表示部を備えても良い。【０００９】
この構成によれば、訪問者は、入力した居室特定情報を表示部で確認しながら呼出操作を行うことができる。【００１０】
また、本発明の集合玄関機において、
前記名称表示部と前記専用呼出部とが一体的に形成されていても良い。【００１１】
この構成によれば、訪問者は、訪問先の専用呼出部を押し間違えることなく操作することができるとともに、操作部分を設置するのに必要なエリアを小さくすることができる。【００１２】
また、本発明のインターホンシステムは、
上記集合玄関機を備える。【００１３】
この構成によれば、居室特定情報（部屋番号や居住者名等）による呼び出し機能と名称による呼び出し機能とが設けられているので、訪問者が訪問先を呼び出す際の利便性を向上させることができる。【００１４】
また、本発明のインターホンシステムは、
居室に設置される居室機を備え、
前記居室機は、前記入力部への操作により呼び出された場合と、前記専用呼出部への操作により呼び出された場合とで、報知音が異なるようにしても良い。【００１５】
この構成によれば、居住者は、居室機から出力される報知音に基づいて、どのような用事の訪問者であるかを予測することができる。【００１６】
また、本発明のインターホンシステムは、
時刻情報を生成するリアルタイムクロックと、
前記時刻情報に基づいて、前記名称表示部と前記専用呼出部の少なくとも一方の表示態様を変更する制御部と、
を備えても良い。【００１７】
この構成によれば、制御部は、時刻情報に基づいて、例えば、営業時間外の名称表示部や専用呼出部の表示態様を、営業中の表示態様とは区別可能に表示させることができる。【００１８】
また、本発明の別態様の集合玄関機は、
各居室に設置される居室機と通信可能に構成された集合玄関機であって、
訪問者が居住者を呼び出すために、当該居住者の居室機を特定する居室特定情報を一文字ずつ入力可能であるとともに、特定された前記居室機を呼び出すことが可能な入力部と、
前記各居室機に割り当てられる居住者名と、前記各居室機の少なくとも一部に割り当てられる名称と、を含む呼出テーブルが記録された記録部と、
前記入力部により入力された前記居室特定情報と前記呼出テーブルとに基づいて呼び出す対象の居室機を特定し、特定された前記居室機を呼び出すための呼出制御を行う制御部と、
を備える。【００１９】
この構成によれば、訪問者は、居住者名による呼び出しと、例えばテナントの名称による呼び出しとの両方を、入力部への操作で行うことができる。このため、呼出操作を行う訪問者にとっての利便性が向上する。さらに、例えばＳＯＨＯ（Small Office/Home Office）としての居室の利用者が増え、テナントの名称を集合玄関機へ登録することを希望する者が増えた場合であっても、呼出テーブルを更新することで対応することができる。つまり、集合玄関機を大型化させることなく、ＳＯＨＯ需要の増大に対応することができる。【００２０】
また、本発明の集合玄関機は、
前記入力部に入力された内容を表示する表示部と、
時刻情報を生成するリアルタイムクロックと、
を備え、
前記呼出テーブルにおいて、前記名称が割り当てられた前記居室機の各々には、所定の営業時間を設定可能であり、
営業時間内に前記表示部に表示される前記名称の表示態様と、営業時間外に前記表示部に表示される前記名称の表示態様とが異なっていても良い。【００２１】
この構成によれば、営業時間外であることを訪問者に事前に分かりやすく知らせることができ、例えば営業時間外のテナントの居室機が呼び出されることを抑制することができる。また、呼出先のテナントが営業中の場合は、営業中であることを訪問者に分かりやすく知らせることができる。【００２２】
また、本発明の集合玄関機は、営業時間外である前記居室機が呼び出された場合、営業時間外である旨を知らせるメッセージを報知しても良い。【００２３】
この構成によれば、訪問者に営業時間外である旨をさらに分かりやすく報知することができる。【００２４】
また、本発明のインターホンシステムは、上記の集合玄関機を備えていても良い。【００２５】
この構成によれば、居住者名による呼び出しと、例えばテナントの名称による呼び出しとの両方を、入力部の操作で行うことができるため、訪問者が訪問先を呼び出す際の利便性を向上させることができる。
【発明の効果】
【００２６】
本発明の集合玄関機および当該集合玄関機を備えるインターホンシステムによれば、訪問者が訪問先を呼び出す際の利便性を向上させることができる。
【図面の簡単な説明】
【００２７】
【図１】本発明の第１実施形態に係るインターホンシステムの構成図である。
【図２】（ａ）本発明の実施形態に係る集合玄関機の構成図であり、（ｂ）は操作部の変形例である。
【図３】集合玄関機の機能ブロック図である。
【図４】（ａ）はテンキーによる呼出の場合に使用するデータテーブルであり、（ｂ）は専用キーによる呼出の場合に使用するデータテーブルである。
【図５】第２実施形態の集合玄関機の機能ブロック図である。
【図６】呼出テーブルを示す図である。
【図７】（ａ）は営業時間中の表示態様の一例を示す図であり、（ｂ）は営業時間外の表示態様の一例を示す図である。
【発明を実施するための形態】
【００２８】
以下、本実施形態の一例について、図面を参照して詳細に説明する。
（第１実施形態）
図１に示すように、インターホンシステム１は、集合玄関機１０と、居室機２０と、集合玄関ドア３０と、制御機４０と、外部端末５０とを備えている。インターホンシステム１は、例えばＳＯＨＯ（Small Office/Home Office）などに代表されるテナントが入居しているマンション等の集合住宅に適用しうるシステムである。なお、本件で、「テナント」は、個人事務所、個人経営のレストラン、個人経営のエステサロンなどの個人または小規模経営の営業単位を総括する意味の用語として用いており、テナントの居住者が賃借人であるか否かは関係ない。
【００２９】
集合玄関機１０は、集合住宅の共用スペースである集合玄関に設置されている。集合玄関機１０は、各居室の居住者を呼び出す機能、訪問者をカメラで撮像する機能等を有している。集合玄関機１０は、信号ラインＬ１を介して制御機４０と通信可能に接続されている。
【００３０】
居室機２０は、集合住宅の各居室内に設置されている。居室機２０は、集合玄関機１０における訪問者からの呼び出しがあった際に、訪問者と通話するための通話部２１と、集合玄関ドア３０を解錠するための解錠ボタン２２と、訪問者の映像を表示するためのディスプレイ２３とを備えている。通話部２１は、マイクとスピーカを有している。また、通話部２１は、集合玄関機１０からの呼び出しを音で報知する報知機能を有している。居室機２０は、信号ラインＬ２を介して制御機４０と通信可能に接続されている。
【００３１】
集合玄関ドア３０は、集合住宅の集合玄関に設けられており、居住エリアへの立ち入りを制限する機能を有したオートドアで構成されている。集合玄関ドア３０は、信号ラインＬ３を介して制御機４０と通信可能に接続されている。
【００３２】
制御機４０は、集合玄関機１０、居室機２０、および外部端末５０間の通信および通話を制御したり、集合玄関ドア３０の施解錠を電気的に制御する。
【００３３】
外部端末５０は、集合住宅の居住者等によって所有される例えばスマートフォン、タブレット、携帯電話、パーソナルコンピュータ等の情報通信が可能な端末である。外部端末５０には、例えば、集合玄関機１０に記憶されている居住者の情報を更新するためのアプリケーションがインストールされている。外部端末５０は、インターネット等の通信ネットワークを介して集合玄関機１０との間で通信が可能とされている。
【００３４】
図２（ａ）に示すように、集合玄関機１０は、入力部１１と、表示部１２と、名称表示部１３と、専用呼出部１４と、通話部１５と、カメラ１６とを備えている。
【００３５】
入力部１１は、集合玄関に居る訪問者が特定の居室の居住者を呼び出すために操作する部分であり、複数種類の操作ボタン（例えばテンキー、切替ボタン、呼出ボタン）で構成されている。テンキーは、数字の入力だけでなく、切替操作により例えば平仮名、カタカナ、アルファベット等の入力できるように構成されている。訪問者は、入力部１１を介して、訪問先の居室機２０を特定する居室特定情報（例えば部屋番号、居住者名）を一文字ずつ入力しうる。
【００３６】
表示部１２は、入力部１１を介して入力された居室特定情報の文字を表示する。表示部１２は、例えば液晶、有機ＥＬ（electroluminescence）ディスプレイ等で形成されている。
【００３７】
名称表示部１３は、一部の居室機２０に予め割り当てられているテナントの名称等を表示する部分である。テナントの名称等を表示するためには、居住者が集合住宅の管理者との契約により名称表示部１３を確保することが必要とされている。表示されるテナントの名称等は、契約した居住者から予め申請されているものであり、各名称表示部１３ａ〜１３ｄに表示されているような個人経営の店舗や事務所の名称の他、例えばロゴやトレードマーク等であっても良い。また、部屋番号、居住者名等を例えば「２０２号室：村上」のように表示しても良い。本例では、４部屋の居室機２０に名称表示部１３ａ〜１３ｄまでのテナントの名称が割り当てられた構成となっている。名称表示部１３は例えば液晶、有機ＥＬディスプレイ等で形成されており、テナントの各名称は電子式に表示されている。なお、名称の表示は、名称表示部１３ａ〜１３ｄにテナントの名称が表記されたプレートを取り付けるような構成であっても良い。
【００３８】
専用呼出部１４は、集合玄関に居る訪問者が特定の居室のテナントを呼び出すために操作する部分であり、例えば押し操作可能な専用呼出ボタン１４ａ〜１４ｄで構成されている。専用呼出ボタン１４ａ〜１４ｄは、名称表示部１３ａ〜１３ｄとそれぞれ関連付けて設けられており、例えば名称表示部１３ａに表示されている「阿部音楽教室」を呼び出す際には、名称表示部１３ａに関連付けられている専用呼出ボタン１４ａを押下するように構成されている。他の専用呼出ボタン１４ｂ〜１４ｄも同様であり、名称表示部１３ｂに表示されている「田中広告事務所」を呼び出す際には専用呼出ボタン１４ｂを押下し、名称表示部１３ｃに表示されている「リストランテベル」を呼び出す際には専用呼出ボタン１４ｃを押下し、名称表示部１３ｄに表示されている「レイシャルサロン」を呼び出す際には専用呼出ボタン１４ｄを押下するように構成されている。
【００３９】
なお、図２（ｂ）に示すように、各名称表示部１３ａ〜１３ｄと各専用呼出ボタン１４ａ〜１４ｄとは、それぞれ一体的に形成されていても良い。
【００４０】
通話部１５は、訪問者が呼出先である特定の居住者との間で通話を成立させるための音声信号を送受信する。通話部１５は、例えばマイク及びスピーカで構成されている。
【００４１】
カメラ１６は、入力部１１または専用呼出部１４を介して呼出操作を行った訪問者の映像を撮像して映像信号を生成する。カメラ１６は、例えばＣＣＤ（charge coupled devices）、ＣＭＯＳ（complementary metal oxide semiconductor）等の各種カメラで構成されうる。
【００４２】
図３の機能ブロック図に示すように、集合玄関機１０は、玄関機ＣＰＵ１１０と、玄関機ＣＰＵに接続された入力部１１、表示部１２、名称表示部１３、専用呼出部１４、通話部１５、カメラ１６、記録部１１１、玄関機インターフェース（以下、玄関機Ｉ／Ｆと称する）１１２、リアルタイムクロック１７等を備えている。
【００４３】
玄関機ＣＰＵ１１０は、集合玄関機１０を構成する各部の動作を制御する。例えば、入力部１１から入力された居室特定情報の文字に基づいて、呼び出された居室機２０を特定し、特定された居室機２０と集合玄関機１０間の接続制御を行っている。また、専用呼出部１４で押下された専用呼出ボタン１４ａ〜１４ｄに基づいて、呼び出された居室機２０を特定し、特定された居室機２０と集合玄関機１０との接続制御を行っている。また、外部等からの操作に基づいて送信されてくる新しい居住者名およびテナント名称を記録部１１１に記録する更新処理を行っている。
【００４４】
記録部１１１には、居住者名テーブル１１１ａと、テナント名称テーブル１１１ｂと、メッセージ１１１ｃとが記憶されている。居住者名テーブル１１１ａには、集合住宅の各部屋番号とその部屋に住む居住者名が、各部屋に設置されている居室機２０の居室機ＩＤと関連付けて記録されている（図４（ａ）参照）。また、テナント名称テーブル１１１ｂには、各名称表示部１３ａ〜１３ｄに付与された名称表示部ＩＤ（レジデンス１〜レジデンス４）と、それらの名称表示部１３ａ〜１３ｄに表示されるテナント名称（「阿部音楽教室」〜「レイシャルサロン」）と、各テナントの営業時間とが、上記居室機ＩＤと関連付けて記録されている（図４（ｂ）参照）。メッセージ１１１ｃには、営業時間外のテナントが呼び出された場合に、営業時間外である旨を知らせる音声メッセージや文字メッセージが記憶されている。
【００４５】
なお、テナント名称テーブル１１１ｂの各名称表示部ＩＤに対して記録されているテナント名称は、更新可能とされている。テナント名称の更新は、例えば居室機２０のディスプレイ２３上におけるタッチパネル操作、外部端末５０のタッチパネル操作、入力部１１のテンキー等の操作等に基づいて更新できるように構成されている。本例では、名称表示部ＩＤの数は、図４（ｂ）に示すようにレジデンス１〜レジデンス４までの４つ設けられているが、居住者が管理者と契約することにより増加させうる。
また、各テナントの営業時間（日付や曜日も含む）も同様に適宜に設定・更新することができる。
【００４６】
玄関機Ｉ／Ｆ１１２は、制御機４０との信号伝送路を形成するための通信部を構成している。
【００４７】
リアルタイムクロック１７は、例えば日付情報を含む時刻情報を生成するものであり、その時刻情報を玄関機ＣＰＵ１１０へ送信する。
【００４８】
次に、インターホンシステム１の動作について説明する。
＜動作パターンＡ＞
インターネットで、「阿部音楽教室」を見つけて、住所を頼りに集合住宅までたどり着いた訪問者が、集合玄関機１０から呼び出しをする場合について説明する。ただし、訪問者は、阿部音楽教室の部屋番号を知らないものとする。
【００４９】
訪問者は、集合玄関機１０の名称表示部１３を見て、「阿部音楽教室」の表示を確認し、「阿部音楽教室」を呼び出すための専用呼出ボタン１４ａを押す。
【００５０】
専用呼出ボタン１４ａが押されると、玄関機ＣＰＵ１１０は、「阿部音楽教室」が表示されている名称表示部１３ａの名称表示部ＩＤと、その名称表示部ＩＤに関連付けられている居室機ＩＤをテナント名称テーブル１１１ｂを参照して特定する。また、集合玄関機１０のカメラ１６が起動して、訪問者の映像を撮像する。玄関機ＣＰＵ１１０は、専用呼出ボタンによる呼び出しがされたことを示す専用呼出信号を制御機４０へ送信する。このとき、玄関機ＣＰＵ１１０は、上記特定した居室機ＩＤ（ＬＲ１０１）と訪問者の映像信号とを専用呼出信号に添付して送信する。
【００５１】
専用呼出信号を受信した制御機４０は、添付された居室機ＩＤを検出して呼出先を判別し、呼出先である１０１号室の居室機２０へ、居室機ＩＤと映像信号とが添付された専用呼出信号を送信する。なお、制御機４０にも、集合玄関機１０の居住者名テーブル１１１ａとテナント名称テーブル１１１ｂに相当するデータテーブルが設けられていても良い。
【００５２】
専用呼出信号を受信した１０１号室の居室機２０は、訪問者の呼び出しを報知する報知音を通話部２１のスピーカから出力する。また、居室機２０は、ディスプレイ２３に訪問者の映像を表示する。
【００５３】
阿部音楽教室の従業者は、映像を見るとともに必要に応じて訪問者と通話してから、解錠ボタン２２で集合玄関ドア３０のロックを解錠する。
【００５４】
＜動作パターンＢ＞
集合住宅の１０１号室に住む阿部氏の知人が、集合玄関機１０から呼び出しをする場合について説明する。ただし、訪問者は、阿部氏の部屋番号を知っているものとする。
【００５５】
訪問者は、入力部１１のテンキー等を操作して、例えば阿部氏の部屋番号「１０１」を入力する。入力部１１からの文字入力は、例えば日本語のカタカナで「アベ」と入力したり、アルファベットで「ＡＢＥ」と入力することもできる。また、入力された文字は、表示部１２に表示される。訪問者は、入力確認の後、呼出ボタンを押す。
【００５６】
呼出ボタンが押されると、玄関機ＣＰＵ１１０は、入力された居室特定情報である「１０１」と関連付けられている居室機ＩＤを居住者名テーブル１１１ａを参照して特定する。また、集合玄関機１０のカメラ１６が起動して、訪問者の映像を撮像する。玄関機ＣＰＵ１１０は、入力部１１のテンキー等による呼び出しがされたことを示す通常呼出信号を制御機４０へ送信する。このとき、玄関機ＣＰＵ１１０は、上記特定した居室機ＩＤ（ＬＲ１０１）と訪問者の映像信号とを通常呼出信号に添付して送信する。
【００５７】
通常呼出信号を受信した制御機４０は、添付された居室機ＩＤを検出して呼出先を判別し、呼出先である１０１号室の居室機２０へ、居室機ＩＤと映像信号とが添付された通常呼出信号を送信する。
【００５８】
通常呼出信号を受信した１０１号室の居室機２０は、訪問者の呼び出しを報知する報知音を通話部２１のスピーカから出力する。通常呼出信号を受信した際の報知音は、専用呼出信号を受信した際の報知音と相違した音色で出力される。また、居室機２０は、ディスプレイ２３に訪問者の映像を表示する。
【００５９】
１０１号室の居住者（阿部氏）は、映像を見るとともに必要に応じて訪問者と通話してから、解錠ボタン２２で集合玄関ドア３０のロックを解錠する。
【００６０】
以上説明した本実施形態の集合玄関機１０およびインターホンシステム１によれば、訪問者が、例えば「阿部音楽教室」という訪問先の名称のみを覚えて集合住宅を訪れた場合であっても、集合玄関機１０の名称表示部１３に表示されたテナント名称を確認し、阿部音楽教室と関連付けて設けられた専用呼出ボタン１４ａを押すことにより、訪問先である阿部音楽教室を呼び出すことができる。この場合、訪問者は、阿部音楽教室が入居している部屋番号や居住者名を知らなくても、スムーズに訪問先を呼び出すことができる。これに対して、例えば阿部氏が入居している部屋番号（１０１号室）を知っている阿部氏の知人が訪れた場合には、集合玄関機１０の入力部１１から部屋番号「１０１」あるいは居住者名「アベ（ＡＢＥ）」を入力することにより、スムーズに訪問先を呼び出すことができる。
【００６１】
また、入力部１１から入力された文字は、表示部１２に例えば液晶表示等されるので、訪問者は、入力した居室特定情報を確認しながらスムーズに呼出操作を行うことができる。
【００６２】
また、例えば専用呼出ボタン上にテナント名称が表示されているような、名称表示部１３と専用呼出部１４とが一体的に形成されている構成の場合、訪問者は、スムーズに操作することができる。また、この場合、集合玄関機１０において操作部分が占めるエリアを更に小さくすることができる。
【００６３】
このように、入力部１１と専用呼出部１４とによる二種類の呼び出し機能を設けることにより、訪問者が訪問先を呼び出す際の利便性を向上させることができる。
【００６４】
また、部屋番号は、セキュリティの観点から、広告上には公開したくない場合もあるが、本形態では、テナントに関しては名称表示部１３に表示したテナント名称による運用を行い、居室に関しては入力部１１を介した部屋番号による運用を行うことができるので、居住者にとって好ましい。
【００６５】
また、居室機２０における報知音は、入力部１１への操作により呼び出された場合と、専用呼出部１４への操作により呼び出された場合とで異なるように構成されているので、居住者は、居室機２０から出力される報知音に基づいて、どのような用事の訪問者が来たかを予測することができる。
【００６６】
また、入力部１１による呼び出しを可能としつつ、居住者の必要に応じた数だけ専用呼出部１４を設けて専用呼出部１４による呼び出しも可能としている。このため、例えば全ての居室に対してそれぞれ名称表示部と専用呼出部とが設けられた構成の集合玄関機と比較すると、集合玄関機における操作部分が占めるエリアを大幅に小さくすることができる。
【００６７】
また、名称表示部１３に表示される名称が変更になったときは、居室機２０のタッチパネル、外部端末５０のタッチパネル、集合玄関機１０の入力部１１等を介して集合玄関機１０の名称表示部１３の表記を更新できる。
【００６８】
また、集合玄関機１０に個人経営の店舗の名称、ロゴ、及びトレードマーク等を表示させることができるので、経営者にとって大きな宣伝効果を得ることができる。
【００６９】
なお、名称表示部１３と専用呼出部１４の少なくとも一方に照明部を設けても良い。玄関機ＣＰＵ１１０は、リアルタイムクロック１７からの時刻情報と、テナント名称テーブル１１１ｂの営業時間とを比較して、呼び出されたテナントが営業時間外であると判断したときは、照明部を消灯させても良い。営業時間外において照明部を消灯させることにより、営業時間外であることを訪問者に事前に分かりやすく知らせることができ、営業時間外にテナントの居室機が呼び出されること抑制することができる。一方、営業時間内においては照明部を点灯させることで、営業中であることを訪問者に分かりやすく知らせることができる。
【００７０】
営業時間外に専用呼出部１４が操作された場合、玄関機ＣＰＵ１１１は、メッセージ１１１ｃのデータを利用して、通話部１５のスピーカから、営業時間外である旨の音声メッセージを報知しても良いし、または、表示部１２に営業時間外である旨の文字メッセージを表示しても良い。この構成により、訪問者に営業時間外である旨をさらに分かりやすく報知することができる。
【００７１】
（第２実施形態）
次に、本発明の第２実施形態について説明する。第１実施形態と共通の構成については同一の符号を付し、その説明を省略する。
【００７２】
図５に示すように、記録部１１１には、呼出テーブル２１１ａと、テナント名称テーブル１１１ｂと、メッセージ１１１ｃとが記憶されている。図６に示すように、呼出テーブル２１１ａには、集合住宅の各部屋番号とその部屋に住む居住者名が、各部屋に設置されている居室機２０の居室機ＩＤと関連付けて記録されている。さらに、呼出テーブル２１１ａでは、各部屋に設置されている居室機２０の居室機ＩＤと関連付けて、テナント名称（「阿部音楽教室」〜「レイシャルサロン」）と、各テナントの営業時間とが記憶されている。
【００７３】
＜動作パターンＣ＞
動作パターンＡと同様に、インターネットで、「阿部音楽教室」を見つけて、住所を頼りに集合住宅までたどり着いた訪問者が、集合玄関機１０から呼び出しをする場合について説明する。ただし、訪問者は、阿部音楽教室の部屋番号を知らないものとする。
【００７４】
訪問者は、入力部１１のテンキー等を操作して、例えば「アベ」の「ア」を入力する。そうすると、玄関機ＣＰＵ１１０は、呼出テーブル２１１ａを参照して、接頭語が「ア」である居住者名やテナント名称を、表示部１２に表示させる。このとき、「阿部音楽教室」が営業時間中であれば、「アベ」と「阿部音楽教室」とは同じ表示態様（表示部の背景が共通の明るさである等）で表示される（図７（ａ）参照）。
一方で、「阿部音楽教室」が営業時間外であれば、「アベ」と「阿部音楽教室」とは異なる表示態様（「阿部音楽教室の背景がグレー表示等」）で表示される（図７（ｂ）参照）。
【００７５】
このように営業時間中と営業時間外とを区別してテナント名称の表示態様を表示部１２に表示させることで、営業時間外にテナントの居室機が呼び出されること抑制することができる。
【００７６】
また、本実施形態によれば、入力部１１への入力により、居住者名による呼び出しと、テナント名称による呼び出しとの両方を行うことができ、呼出操作を行う訪問者にとっての利便性が向上する。
【００７７】
また、例えばＳＯＨＯ（Small Office/Home Office）としての居室の利用者が増え、テナント名称を集合玄関機へ登録することを希望する者が増えた場合であっても、呼出テーブルを更新することで対応することができる。つまり、集合玄関機を大型化させることなく、ＳＯＨＯ需要の増大に対応することができる。
【００７８】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００７９】
１：インターホンシステム、１０：集合玄関機、１１：入力部、１２：表示部、１３，１３ａ〜１３ｄ：名称表示部、１４：専用呼出部、１４ａ〜１４ｄ：専用呼出ボタン、１５：通話部、１６：カメラ、２０：居室機、３０：集合玄関ドア、４０：制御機、５０：外部端末、１１１ａ：居住者名テーブル、１１１ｂ：テナント名称テーブル
【図１】
2017056165.tif 000003
【図２】
2017056165.tif 000004
【図３】
2017056165.tif 000005
【図４】
2017056165.tif 000006
【図５】
2017056165.tif 000007
【図６】
2017056165.tif 000008
【図７】
2017056165.tif 000009
【国際調査報告】
2017056165.tif 000010
2017056165.tif 000011
2017056165.tif 000012
2017056165.tif 000013
2017056165.tif 000014
2017056165.tif 000015
2017056165.tif 000016
2017056165.tif 000017